(57)【要約】【課題】沈んだボールでも捉えられ、ソール面の摩擦を最小限にしてソールの抜けをよくし、ボールを確実に捉え、キャリーのあるボールが打てるゴルフクラブを提供する。【解決手段】クラブヘッドのソール部（２ａ）に、部分的な狭いソール域であるベアリング部位（５）を付加した。また、クラブヘッドのリーディングエッジの底部と、ソールの前部との間に、部分的な狭いソール域であるベアリング部位を付加した。また、該部分的な狭いソール域であるベアリング部位を、半円棒状、即ち板かまぼこ状とした。また、該部分的な狭いソール域であるベアリング部位を、半円短棒状、即ち複数の板かまぼこ状とした。該部分的な狭いソール域であるベアリング部位を、複数個の半球状とした。【選択図】図１２
2008295560.tif 000002
【特許請求の範囲】
【請求項１】
ゴルフクラブにおいて、クラブヘッドのソール部に、部分的な狭いソール域であるベアリング部位を付加したことを特徴とするゴルフクラブ。
【請求項２】
ゴルフクラブにおいて、クラブヘッドのリーディングエッジの底部と、ソールの前部との間に、部分的な狭いソール域であるベアリング部位を付加したことを特徴とするゴルフクラブ。
【請求項３】
請求項１又は請求項２記載のゴルフクラブにおいて、該部分的な狭いソール域であるベアリング部位を、半円棒状、即ち板かまぼこ状としたことを特徴とするゴルフクラブ。
【請求項４】
請求項１又は請求項２記載のゴルフクラブにおいて、該部分的な狭いソール域であるベアリング部位を、半円短棒状、即ち複数の板かまぼこ状としたことを特徴とするゴルフクラブ。
【請求項５】
請求項１又は請求項２記載のゴルフクラブにおいて、該部分的な狭いソール域であるベアリング部位を、複数個の半球状としたことを特徴とするゴルフクラブ。
【請求項６】
請求項１又は２記載のゴルフクラブが、アイアンクラブであり、ベアリング部位がクラブフェースの面に沿った下面に、突設されたことを特徴とするゴルフクラブ。
【請求項７】
請求項１又は２記載のゴルフクラブが、ユーティリティクラブであり、ベアリング部位がクラブフェースの面に沿った下面に、突設されたことを特徴とするゴルフクラブ。
【請求項８】
請求項１又は２記載のゴルフクラブが、フェアウェーウッドクラブであり、ベアリング部位がクラブフェースの面に沿った下面に、突設されたことを特徴とするゴルフクラブ。
【発明の詳細な説明】
【技術分野】
【０００１】
本発明は、ゴルフクラブの中で、アイアンクラブや、ユーティリティクラブや、フェアウェーウッドのような、芝の上でスイングするクラブへ、新しい機能を提案するものである。ゴルフクラブは設計、材料、加工の点において大きく進歩している。ところが、実践においては、フェアウエイで沈んでいるボールを打つ場合に、クラブヘッドが跳ねて、トップ気味となるトラブルがしばしば生じるのである。そこで、クラシックモデルのクラブの良さと、最近のクラブの良さを引き継ぎながら、かつ、非力な方々でも楽しめるクラブヘッドの工夫を提案するものである。
【背景技術】
【０００２】
従来から、ゴルフクラブのソール部に関する技術は、特許文献１〜４のように公知となっている。
【０００３】
芝の上のゴルフボールを飛ばす為に、ゴルフクラブをスイングする場合において、意識してクラブヘッドのソールの面圧を高めて芝を押さえ込むことは可能である。しかし、クラブのソールの作用面圧と、芝の反作用の面圧が等しくなった後に、入射角度と反射角度に従って、クラブヘッドは跳ね出していくこととなる。
即ち、芝を抑え込むソールの面圧が弱いとクラブヘッドが浅く入る結果となり、スイングの遠心力による、芝を抑え込むソールの荷重を一定（仮説では５０ｋｇ）とした場合、ソールが芝に加える圧力（ｋｇ／ｃｍ2 ）は, ソールの面積と関係してくる。芝に接するソールの面積が大きいと、芝に加える圧力は小さくなり、ソールの面積は小さいと芝に加える圧力は大きくなる。また、ソールの面積が大きいと、芝の浅い部分をクラブヘッドが走る結果となるが、ソールの面積が小さいと、芝の奥深くクラブヘッドが走る結果となる。
【０００４】
３０年ほど前の、プロ仕様のアイアンクラブヘッドの場合は、ソールは薄く、リーディングエッジが鋭利となっていたため、芝に奥ふかく切りこみ、ターフを削り取るように打っており、結果としてクラブフェースで確実にボールを捉えていた。しかし、現代のクラブは、低重心とする為にソールを厚くしており、ソールを厚くしていることにより、ソールの圧力は大幅に低くなり、結果として芝を抑え込む圧力が低くなり、芝の浅い部分をクラブヘッドが走る結果となっている。
【０００５】
それに加え、芝の上を滑るように、リーディングエッジを丸く、スキーの先端のように削ってあるので、結果として、クラブヘッドは絶えず芝の浅い部分を滑り走るように設計されている。また、ある種のクラブヘッドにおいては、それに加えてソールのバンス角度をプラス角度にとっており、クラブヘッドが芝を削り込まないように配慮されている。即ち、練習場のマットの上のボール、あるいは、フェアウエイの浮いているボールを打つ場合においては、好都合に出来ているのである。
【０００６】
しかし、フェアウエイにおける、実践のプレーの場合では、特に、ショートアイアンを使用する範囲（１２０ヤードからグリーン周り）において、状況は一転する。誰もがグリーンに向かって止まるボールを打とうとすると、トップボールを避けるために、クラブヘッドを芝の少し深い部分でインパクトを迎えたいと願って打っているために、芝が傷んで窪んでいるところが多くあり、ほとんどのボールがディポット状態となっていることが普通である。
【０００７】
沈んでいるボールを打つには、ソールが薄くリーディングエッジが鋭利になっているクラブでは、芝の深い部分をボールとともに削り取るように打つことは可能であったので、プロや上級者は、そのようにターフを取り、止まるボールが打てていた。しかし、最近ののゴルフクラブは、ソールが厚くリーディングエッジが滑るように丸く削られており、おまけにソールのバンスがプラス角度になっているものが多い。このようなクラブで、ディポット状態のボールを打つことが要求されているのが現状である。結果として多くの場合、不具合が発生するのである。
【特許文献１】特開平７−１６３６８４号公報
【特許文献２】特開平９−２９９５２３号号公報
【特許文献３】特開２００２−５２１００号公報
【特許文献３】特開２００６−３４１１３６号公報
【発明の開示】
【発明が解決しようとする課題】
【０００８】
解決しようとする問題は、次の点である。ベアリング機能と力学的な現象を、アイアンクラブにおいて考える。従来の単にソールが厚い場合、芝を抑え込む加重を５０ｋｇと仮定すると、ソール部分の面積：２．０ｃｍ×７ｃｍ＝１４ｃｍ2 であるので、芝に対する抑え込む集中応力は３．６ｋｇ／ｃｍ2 となり、芝を押さえ込む集中応力が弱いため、芝の浅いところをヘッドが走る。これに対して、本発明において、部分的な狭いソール域であるベアリング部位を設ける場合には、通常のソールの場合において全面で、芝を抑え込む加重を５０ｋｇと仮定すると、部分的な狭いソール域であるベアリング部位を設けた場合の、ベアリング部分の面積を計算すると、０．５ｃｍ×７ｃｍ＝３．５ｃｍ2 となる。該ソール部分の面積は、２ｃｍ2 〜６ｃｍ2 であり、好ましくは３ｃｍ2 〜４ｃｍ2 である。ベアリング部の定義は、突出した部位であって、高負荷に耐えながら滑りを良くする部位という意味である。
【０００９】
即ち部分的な狭いソール域であるベアリング部位による、芝を抑え込む集中応力は１４．３ｋｇ／ｃｍ2 となり、部分的な狭いソール域であるベアリング部位が存在しない場合のソール全面に係る芝を押さえ込む力の約４倍となり、クラブヘッドが芝の深いところを走らせることが可能となる。そして、インパクト後には、後ろのソールが受けてくれ食い込みを防いでくれる。単にソールが厚い場合と、ベアリング部位を設けた場合において、大きな相違点が出てくるのである。
【課題を解決するための手段】
【００１０】
本発明の解決しようとする課題は以上の如くであり、次にこの課題を解決するための手段を説明する。
【００１１】
請求項１においては、ゴルフクラブにおいて、クラブヘッドのソール部に、部分的な狭いソール域であるベアリング部位を付加したものである。
請求項２においては、ゴルフクラブにおいて、クラブヘッドのリーディングエッジの底部と、ソールの前部との間に、部分的な狭いソール域であるベアリング部位を付加したものである。
請求項３においては、請求項１又は請求項２記載のゴルフクラブにおいて、該部分的な狭いソール域であるベアリング部位を、半円棒状、即ち板かまぼこ状としたものである。
請求項４においては、請求項１又は請求項２記載のゴルフクラブにおいて、該部分的な狭いソール域であるベアリング部位を、半円短棒状、即ち複数の板かまぼこ状としたものである。
請求項５においては、請求項１又は請求項２記載のゴルフクラブにおいて、該部分的な狭いソール域であるベアリング部位を、複数個の半球状としたものである。
請求項６においては、請求項１又は２記載のゴルフクラブが、アイアンクラブであり、ベアリング部位がクラブフェースの面に沿った下面に、突設されたものである。
請求項７においては、請求項１又は２記載のゴルフクラブが、ユーティリティクラブであり、ベアリング部位がクラブフェースの面に沿った下面に、突設されたものである。
請求項８においては、請求項１又は２記載のゴルフクラブが、フェアウェーウッドクラブであり、ベアリング部位がクラブフェースの面に沿った下面に、突設されたものである。
【発明の効果】
【００１２】
本発明の効果として、以下に示すような効果を奏する。
【００１３】
請求項１と請求項２の如く部分的な狭いソール域であるベアリング部位を、請求項３・４・５の如く形状にして、請求項６の如くアイアンクラブのクラブフェース部に沿って下面に、突設することにより、芝に沈んでいるボール、ディポット状態のボールでも捉えられることが可能となったである。また、ソール面の摩擦を最小限にしてソールの抜けをよくすることができたものである。ボールの捉えを良くし、止まるボールが打てることが可能となったのである。最も避けたいトップ気味のボールが出ないようになったのである。また、芝を大きく削らないようになり、ダフリ現象も減少したのである。
【００１４】
請求項１と請求項２の如く部分的な狭いソール域であるベアリング部位を、請求項３・４・５の如く形状にして、請求項６の如くユーティリティクラブのクラブフェース部に沿って下面に、突設することにより、沈んだボールでも捉えられること。ソール面の摩擦を最小限にしてソールの抜けをよくすること。ボールを確実に捉え、キャリーのあるボールが打てること。距離が大幅に落ちるトップ気味のボールが出ないこと。ダフリ現象が減少すること等の効果を発揮するものである。
【００１５】
請求項１と請求項２の如く部分的な狭いソール域であるベアリング部位を、請求項３・４・５の如く形状にして、請求項６の如くフェアウェーウッドのクラブフェースに沿って下面に、突設したので、ベアリング部位は芝を抑える集中応力が高くなり、芝の深い部分を走り、確実にボールを捉えることが可能となったのである。
【発明を実施するための最良の形態】
【００１６】
次に、発明の実施の形態を説明する。図１は、アイアンクラブ（２）を示しており、アイアンクラブ（２）のヘッドは、フェース（２ｂ）とソール（２ａ）を具備している。アイアンクラブ（２）のソール（２ａ）に部分的な狭いソール域であるベアリング部位（５）を設けた本発明の一実施例の底面図、図２は、アイアンクラブ（２）のソール（２ａ）に、半円短棒状、即ち複数の板かまぼこ状のベアリング部位（５ａ）を設けた底面図、図３は、アイアンクラブ（２）に、複数個の半球状のベアリング部位（５ｂ）を設けた対面図、図４は、アイアンクラブ（２）のソール（２ａ）に設けたベアリング部位（５）の高さ（ｈ）を示す側面断面図、図５は、フェアウェーウッドクラブ（３）に部分的な狭いソール域であるベアリング部位（７）を設けた本発明の一実施例の底面図、図６は、フェアウェーウッドクラブ（３）に、半円短棒状、即ち複数の板かまぼこ状のベアリング部位（７ａ）を設けた底面図、図７は、フェアウェーウッドクラブ（３）に、複数個の半球状のベアリング部位（７ｂ）を設けた対面図、図８は、フェアウェーウッドクラブ（３）に設けたベアリング部位（７）の高さ（ｈ）を示す側面断面図、図９は、アイアンクラブ（２）及びフェアウェーウッドクラブ（３）及びユーティリティクラブ（４）の設けるベアリング部位（５・７）の断面形状を示す側面断面図である。
【００１７】
図１０は、従来のクラシックタイプの薄型アイアンクラブ（１２）とゴルフボール（１）の打ち込みの関係を示す側面断面図、図１１は、従来のベアリング部位（５）の無いアイアンクラブ（２）による打ち込み状態を示す側面断面図、図１２は、本発明のベアリング部位（５）を設けたアイアンクラブ（２）による打ち込み状態を示す側面断面図、図１３は、従来のベアリング部位（７）の無いユーティリティクラブ（４）による打ち込み状態を示す側面断面図、図１４は、本発明のベアリング部位（７）を設けたユーティリティクラブ（４）の打ち込み状態を示す側面断面図、図１５は、従来のベアリング部位（７）の無いフェアウェーウッドクラブ（３）による打ち込み状態を示す側面断面図、図１６は、本発明のベアリング部位（７）を設けたフェアウェーウッドクラブ（３）の打ち込み状態を示す側面断面図である。
【００１８】
本発明のベアリング部位（５）をアイアンクラブ（２）に付設した実施例について説明する。アイアンクラブ（２）に部分的な狭いソール域であるベアリング部位（５）を、ソール（２ａ）のクラブフェース（２ｂ）に沿わせて付設した構成は、図１から図４までに図示している。アイアンクラブ（２）に付設するベアリング部位（５）の構成は、図１に示すように、蒲鉾状としても良いし、図２に示す、半円短棒状、即ち複数の板かまぼこ状のベアリング部位（５ａ）としても良い。また、図３に示すように、複数個の半球状のベアリング部位（５ｂ）を設けた構成としても良いものである。
【００１９】
該アイアンクラブ（２）の構成は、ベアリング断面形状も多種多様であり、図９に示す如く、半円状（１０）や、台形状（１１）や、三角形状（１３）や、四角状（１４）や、５角状（１５）や、流線型状（１６）のように構成しても良いものである。また、底面から見た場合には、長棒状や、短棒の連続状や、半球状や、アイランド状などの形状が構成されている。
【００２０】
また、該アイアンクラブ（２）に付設したベアリング部位（５）と、フェアウェーウッドクラブ（３）とユーティリティクラブ（４）に付設したベアリング部位（７）の突出高さ（ｈ）は、ｈ＝０．１〜１０ｍｍの範囲が適切である。この高さは、アイアンクラブ（２）やフェアウェーウッドクラブ（３）やユーティリティクラブ（４）の、番手によって変更するものである。
【００２１】
また、該ベアリング部位（５）やベアリング部位（７）の、アイアンクラブ（２）とフェアウェーウッドクラブ（３）とユーティリティクラブ（４）の底面から見た大きさの限定としては、図１と図５において示す如く、長さ（Ｉ）は、ベアリング部位（５）の長さ（Ｌ）に対して、Ｉ＝ソールの長さ（Ｌ）×（０．３〜１．０）とし、また、ベアリング部位（５）の幅（ｗ）は、アイアンクラブ（２）とフェアウェーウッドクラブ（３）とユーティリティクラブ（４）のソールの部分の幅（Ｗ）に対して、ｗ＝ソールの幅（Ｗ）×（０．０２〜０．９）としている。
【００２２】
実際には、アイアンクラブ（２）のベアリング部位（５）の幅（ｗ）は、ｗ＝ソールの幅（Ｗ）×（０．１〜０．５）であり、フェアウェーウッドクラブ（３）やユーティリティクラブ（４）のベアリング部位（７）の幅（ｗ）は、ｗ＝ソールの幅（Ｗ）×（０．０２〜０．５）が望ましい。
【００２３】
また、本発明のベアリング部位（７）を、フェアウェーウッドクラブ（３）やアイアンクラブ（２）に付設する場合には、図５、図６、図７に示す如く、突設される。図５の場合には、スイングの方向であるクラブフェース（３ｂ）に向けて凸状のなだらかな円弧に構成している。図６においては、該なだらかな円弧が、半円短棒状、即ち複数の板かまぼこ状（７ａ）に切断された構成としている。また、図７においては、複数個の半球状のベアリング部位（７ｂ）に構成している。
【００２４】
図１０においては、従来のクラシックタイプの薄いアイアンクラブ（１２）の場合の打ち込みについて説明している。クラシックタイプの薄いアイアンクラブ（１２）は、特徴として、ソールは薄く鋭利なリーディングエッジとなっている。ソールの厚みが薄いため、芝を押し付ける圧力（ｋｇ／ｃｍ2 ）が大きく、ソールが受ける摩擦力による抵抗は小さく、結果としてクラブヘッドが芝に深く入りやすい。リーディングエッジが鋭いため、芝の抵抗、ソールが受ける圧力による反作用の力は、切削力により弱められ、芝を深く削ぐようにしてクラブヘッドを走らせることができた。結果として、クラブフェースの正しい位置でインパクトが迎えられ、ボールの飛びの高さと最適なスピンが確保出来た。故に、ボールが芝に浮いている場合には、確実にインパクトが可能である。ボールが目土の上にある場合には、確実にインパクトが可能である。ボールがディボット状態にある場合には、芝を大きく取ることにより、インパクトが可能となる。下手すると、大きく芝を噛みダフリ現象となる。
【００２５】
但し、一般的にクラブヘッドを芝の表面を滑らすような打ち方は難しく、スキルが低いと、ザックリとダフる、即ち打ち込んでしまうという可能性があった。クラシックタイプの薄いアイアンクラブ（１２）においては、ソールが薄く、ソールの単位面積当たりの踏みつけ圧力が大きいので、フェースによるゴルフボール（１）の捕捉が適切となるが、リーディングエッジが鋭くダフリ現象が発生しやすく、ゴルフの上級者が使用するものであり、ヘッドが走りターフを取るスイングとなるのである。
【００２６】
従来のクラシックタイプの薄いアイアンクラブ（１２）の場合の不具合を解消すべく、最近のアイアンクラブ（２）は、図１１に示す如く、構成されているのである。現代のソールが厚いタイプのアイアンの場合の特徴として、ソールは厚く、リーディングエッジが丸く削られている。バンス角度もプラスのものが見られる。当然のこととして芝を抑えつける圧力（ｋｇ／ｃｍ2 ）は低くなり、結果としてクラブヘッドを芝の奥に深く入れることが難しい。リーディングエッジが丸く削られているためにスキーの先端の原理と同様に、クラブヘッドが芝の上を滑りやすくしてくれるが、芝の奥に深く潜らせることが難しい。芝を切削する機能がないため、横倒しとなる芝の圧力に対する反作用と芝の摩擦力を受けながら、結果としてインパクトの手前でクラブヘッドが跳ね上がる現象が起こり、正しいインパクトが迎えられず、トップボールが出やすい。ゴルフボール（１）が芝に浮いている場合には、確実にインパクトが可能である。ゴルフボール（１）が目土の上にある場合には、芝の押さえが弱く、浅く入りトップするか、インパクト直前でクラブヘッドが跳ねる現象が起る。ゴルフボール（１）がディボット状態にある場合には、クラブヘッドが手前ではねて、インパクトが不可能になるか、浅く入りトップ現象が起る。
【００２７】
即ち、初心者にはダフリが発生しやすく、使い難いので、最近は、ソールの広いタイプのアイアンクラブ（２）が用いられているのである。しかし、このソールの広いアイアンクラブ（２）の場合には、リーディングエッジに設けられた丸みが、芝の表面上を浅く走らせて、ソール（２ａ）の面が広いので、芝への切れ込みが悪く、反作用によりインパクト手前でクラブヘッドが跳ねる現象が発生し、クラブフェース（２ｂ）によるゴルフボール（１）のとらえが不十分となり、トップとなっていたのである。
【００２８】
従来のアイアンの現状としては、芝により浮いているゴルフボール（１）はなんとか打てる。しかし、芝の中に沈んだゴルフボール（１）は捉え辛い。クラブヘッドを芝に深く入れて打つとソール（２ａ）が跳ねて、トップ気味に入りゴルフボール（１）が上がらずスピンがかかり辛い。クラブヘッドのソール（２ａ）が厚く、ソール（２ａ）面が芝の摩擦で食われて振り抜けが悪い。滑りやすくするために、クラブヘッドのリーディングエッジが丸く削られており、芝に深く入らない。アプローチショットでも、クラブヘッドを少し深く入れるとインパクト手前で跳ね上がり、結果的にトップ気味の打球となり低く飛び出し止まらない。
【００２９】
本発明のアイアンクラブ（２）の改善点は、次の如くである。沈んでいるボール、ディポット状態のボールでも捉えられることができる。ソール（２ａ）面の摩擦を最小限にしてソールの抜けをよくすることができる。ボールの捉えを良くし、止まるボールが打てること。最も避けたいトップ気味のボールが出ないこと。芝を大きく削らないこと。ダフリ現象が減少することである。
【００３０】
次に、図１３の従来のユーティリティクラブ（４）の場合と、図１５の従来のフェアウェーウッドクラブ（３）の場合の不具合について説明する。フェアウェーウッドクラブ（３）のヘッドは、フェース（３ｂ）とソール（３ａ）により構成されている。従来の、フェアウェーウッドクラブ（３）とユーティリティクラブ（４）の現状としては、ソール（３ａ）は広くリーディングエッジが丸く削られている。バンス角度もプラスのものが見られる。当然のこととして芝を抑えつける圧力（ｋｇ／ｃｍ2 ）は、低くなり、結果としてクラブヘッドを芝の奥に深く入れることが難しい。また、リーディングエッジが丸く削られているためにスキーの先端の原理と同様に、クラブヘッドが芝の上を滑りやすくしてくれるが、芝に奥に深く潜らせることが難しい。横倒しの芝の圧力に対する反作用と芝の摩擦力を受けながら、結果としてインパクトの手前でクラブヘッドが跳ね上がる現象が起こりトップボールが出やすい。
【００３１】
従来のフェアウェーウッドクラブ（３）とユーティリティクラブ（４）の現状は、浮いているボールはなんとか打てる。しかし、沈んだボールは捉え辛いのである。クラブヘッドを深く入れて打つとソール（３ａ）が跳ねて、トップ気味に入りボールが上がらないのである。クラブヘッドのソール（３ａ）面が広く摩擦で食われて振り抜けが悪い。滑りやすくするために、リーディングエッジが丸く削られており、芝に深く入らない。本発明は、アイアンクラブ（２）とフェアウェーウッドクラブ（３）とユーティリティクラブ（４）のの機能を高めるものである。
【００３２】
本発明の、フェアウェーウッド（含むユーティリティ）では、沈んだボールでも捉えられること。ソール（３ａ）面の摩擦を最小限にしてソール（３ａ）の抜けをよくすること。ゴルフボール（１）を確実に捉え、キャリーのあるボールが打てること。距離が大幅に落ちるトップ気味のボールが出ないこと。ダフリ現象が減少することが目的である。
【００３３】
力学的な観点で考えると、問題点は、クラブをスイングすると図１１から図１６に示すとおり、クラブに遠心力と求心力が発生する。アイアンクラブ（２）とフェアウェーウッドクラブ（３）とユーティリティクラブ（４）を、深く入れようとすると、ゴルフボール（１）のわずか手前でクラブヘッドにソール（３ａ）から跳ね上がり現象が起こり、ゴルフボール（１）がインパクトされてもスピンの発生が殺されて、ボールが止まらない結果となる。素直にクラブヘッドを滑らせるようにインパクトを迎えると、クラブフェース（３ｂ）の下端にあたり、トップ気味の低いボールとなり、これもグリーンに落ちてから止まらない現象が起っている。３０年前の薄いソールのクラッシククラブでは、クラブを操ることが難しく、スキルが低いとダフリ現象である、芝を大きく切りこみヘッドが刺さった状態で止まる現象が起こりリスクも大きい。
【００３４】
誰もが望んでいるクラブ、特に非力なゴルファー、女性ゴルファー、シニアゴルファーはヘッドスピードが遅く、沈んだボールの処理に苦慮している。誰もが望んでいるクラブとは次の事項を少しでも満たしてくれることである。クラブヘッドの跳ね上がり現象が起こり辛いことであり、クラブヘッドが程よく芝の深い部分に入り、クラブフェースのより正しい位置でのインパクトが迎えられることであり、ダフリ現象が起こらないことであり、近代の進化したクラブの機能をそのまま引き継がれることである。
【００３５】
本発明は、ベアリング効果機能付加したクラブヘッドの提案するものである。ソール（２ａ）に付加されたベアリング部位（５）は、芝を瞬間に押さえつける集中応力を高められる結果となり、より芝の深い部分でインパクトが迎えられる。ソールの厚みは、インパクト後に必要以上に芝の深い部分に切り込まない。ソール（２ａ）に付加されたベアリング部位は、芝を強くそして深く抑え込みながら滑ってゆく機能となる。ソールに付加されたベアリング部位（５）はリーディングエッジを存在させることとなり、最適なインパクトが迎えやすくなる。ソールに付加されたベアリング部位に重い金属、例えばタングステンなどの材料を用いることにより、一層低重心のクラブヘッドが可能となる。ソールに付加されたベアリング部位（５）があることによって、クラブフェース（２ｂ）の有効な位置で確実にインパクトが迎えられ、ミスを最小限にとどめることができる。ソールに付加されたベアリング部位があることによって、これまでのクラブよりも止まりやすいボールが安心して打つことができる。
【００３６】
アイアンクラブ（２）の具体的な形状は、ソール（２ａ）に付加されたベアリング部位（５）を、半円棒状（板かまぼこ状）、半円短棒状（複数の板かまぼこ状）、半球状（複数個）としたものである。フェアウェーウッドクラブ（３）やユーティリティクラブ（４）の具体的な形状は、ソールに付加されたベアリング部位（７）を、半円棒状（板かまぼこ状）、半半円短棒状（複数の板かまぼこ状）、球状（複数個）としたものである。
【００３７】
ベアリング部位（５）の力学的な現象は、単にソール（２ａ）が厚い場合、芝を抑え込む加重を５０ｋｇと仮定するとソール部分の面積：２．０ｃｍ×７ｃｍ＝１４ｃｍ2 となる。芝に対する抑え込む集中応力は、面積当たり３．６ｋｇ／ｃｍ2 となり、芝を押さえ込む集中応力が弱いため、芝の浅いところをヘッドが走る。本発明においてはリーディングエッジの底部とソールの前部に、ベアリング部位（部分的な狭いソール域）を設けた場合、芝を抑え込む加重を５０ｋｇと仮定すると、ベアリング部分の面積：０．５ｃｍ×７ｃｍ＝３．５ｃｍ2 となり（好ましくは２〜５ｃｍ2 ）、ベアリング部分の、面積当たりの芝を抑え込む集中応力は１４．３ｋｇ／ｃｍ2 となり約４倍となり、クラブヘッドが芝の深いところを走らせることが可能となる。インパクト後には、後ろのソール（２ａ）が受けてくれ食い込みを防いでくれるのである。
【００３８】
フェアウェーウッドクラブ（３）の場合には、ヘッドの大きさにもよるが、芝を抑える力が弱いと、芝の浅いところを走る結果となり、トップ気味のボールが出る。ベアリング部位（７）は芝を抑える集中応力が高くなり、芝の深い部分を走り、確実にゴルフボール（１）を捉えることが可能となる。ゴルフボール（１）が芝に浮いている場合でも、確実にインパクトが可能である。ゴルフボール（１）が目土の上にある場合でも芝の押さえが強く、目土の深さまでリーディングエッジが入り、確実にインパクトが可能である。ゴルフボール（１）がディボット状態にある場合でも、目土の深さ以上にリーディングエッジが入り、確実にインパクトが可能である。アイアンクラブ（２）の場合には、クラシックタイプの薄いアイアンクラブ（１２）の良さと、現代のクラブの双方の良さを合わせ持ったアイアンクラブ（２）のヘッドとなる。フェアウェーウッドクラブ（３）も同様にベアリング部位（７）付きはインパクトを確実に迎えるために有効である。
【００３９】
また、材料及び加工法の選定としては、同一材料、或はタングステンなどの比重が重く硬い材料を用い、一層重心を下げられることを特長とする。一体成型、或は他の材料を部分的に溶着加工して仕上げることができる。
【図面の簡単な説明】
【００４０】
【図１】アイアンクラブ（２）に部分的な狭いソール域であるベアリング部位（５）を設けた本発明の一実施例の底面図。
【図２】アイアンクラブ（２）に、半円短棒状、即ち複数の板かまぼこ状のベアリング部位（５ａ）を設けた底面図。
【図３】アイアンクラブ（２）に、複数個の半球状のベアリング部位（５ｂ）を設けた対面図。
【図４】アイアンクラブ（２）に設けたベアリング部位（５）の高さ（ｈ）を示す側面断面図。
【図５】フェアウェーウッドクラブ（３）に部分的な狭いソール域であるベアリング部位（７）を設けた本発明の一実施例の底面図。
【図６】フェアウェーウッドクラブ（３）に、半円短棒状、即ち複数の板かまぼこ状のベアリング部位（５ａ）を設けた底面図。
【図７】フェアウェーウッドクラブ（３）に、複数個の半球状のベアリング部位（５ｂ）を設けた対面図。
【図８】フェアウェーウッドクラブ（３）に設けたベアリング部位（７）の高さ（ｈ）を示す側面断面図。
【図９】アイアンクラブ（２）及びフェアウェーウッドクラブ（３）の設けるベアリング部位（５・７）の断面形状を示す側面断面図。
【図１０】従来のクラシックタイプの薄型アイアンクラブ（１２）とゴルフボール（１）の打ち込みの関係を示す側面断面図。
【図１１】従来のベアリング部位（５）の無いアイアンクラブ（２）による打ち込み状態を示す側面断面図。
【図１２】本発明のベアリング部位（５）を設けたアイアンクラブ（２）による打ち込み状態を示す側面断面図。
【図１３】従来のベアリング部位（７）の無いユーティリティクラブ（４）による打ち込み状態を示す側面断面図。
【図１４】本発明のベアリング部位（７）を設けたユーティリティクラブ（４）の打ち込み状態を示す側面断面図。
【図１５】従来のベアリング部位（７）の無いフェアウェーウッドクラブ（３）による打ち込み状態を示す側面断面図。
【図１６】本発明のベアリング部位（７）を設けたフェアウェーウッドクラブ（３）の打ち込み状態を示す側面断面図。
【符号の説明】
【００４１】
１  ゴルフボール
２  アイアンクラブ
２ａ  ソール
２ｂ  クラブフェース
３  フェアウェーウッドクラブ
３ａ  ソール
３ｂ  クラブフェース
４  ユーティリティクラブ
５・７  ベアリング部位
【図１】
2008295560.tif 000003
【図２】
2008295560.tif 000004
【図３】
2008295560.tif 000005
【図４】
2008295560.tif 000006
【図５】
2008295560.tif 000007
【図６】
2008295560.tif 000008
【図７】
2008295560.tif 000009
【図８】
2008295560.tif 000010
【図９】
2008295560.tif 000011
【図１０】
2008295560.tif 000012
【図１１】
2008295560.tif 000013
【図１２】
2008295560.tif 000014
【図１３】
2008295560.tif 000015
【図１４】
2008295560.tif 000016
【図１５】
2008295560.tif 000017
【図１６】
2008295560.tif 000018